(57)【特許請求の範囲】
【請求項１】
水平方向に長く、ガスメータの入側口金と出側口金の間隔に合わせて元栓取付用ビス孔と出側配管部材用ビス孔を設けると共に、両端に夫々バックプレート取付用ビス孔を設けて成るプレートと、
鉛直方向にガスメータの入側口金に接続するための入側ユニオンを取り付け、後方に入側ガス管接続口を形成し、正面側にハンドルを取り付けると共に、上面にネジ孔を設けて成る元栓と、
鉛直方向にガスメータの出側口金に接続するための出側ユニオンを取り付けると共に、水平方向に向けて試験口と出側ガス管接続口を形成し、上面にネジ孔を設けて成る出側配管部材と、
前記プレートの両端に設けたバックプレート取付用ビス孔に貫入したビスによりプレートの後面側に夫々位置し、後述のガスメータ支持バーの開口部の幅よりも小さい短幅とこの開口部内の前後の壁幅よりも大きい長幅に形成されたバックプレートと、
下面に開口部を形成した断面Ｃ型形状であって、パイプシャフト内において水平方向に固定されるガスメータ支持バーと、
前記元栓及び出側取付部材を前記プレートに固定するためのビスと、
から成るガスメータの支持装置。
【請求項２】
請求項１のバックプレートは、上辺と下辺の間隔がガスメータ支持バーの下面に形成した開口部からこの内部に挿入できる幅であって、両サイドの辺は同一方向に傾斜し、且つ、この傾斜した辺の間隔はガスメータ支持バー内の前後の壁に当る長さに設定された平行四辺形状であることを特徴とするガスメータの支持装置。
【請求項３】
請求項１の出側配管部材は、その正面にプラグで止められた試験口を設け、後向きにフレキシブル管の接続口を設けた構造であることを特徴とするガスメータの支持装置。
【発明の詳細な説明】
【０００１】
【発明の属する技術分野】
本発明は、集合住宅に設けられたガス管、水道管等の配管類と電気ケ−ブル、電話ケーブル等を一緒に収容するために設けられた配管スペース（以下「パイプシャフト」と称す）内にガスメータを取り付けるための支持装置に関するものである。
【０００２】
【従来の技術】
パイプシャフト内には、各種の配管類以外に、住戸ごとにガスメータや電気メータ、水道メータ等が取り付けられる。そこで、これらのメータ類を狭いスペース内において手際良く取り付けることができる取付装置の要請が強い。
本出願人は、このような要請に応えて、既に、ガスメータをパイプシャフト内において取り付けるための装置を特願平８−１１１７５３号及び特願平９−９２００１号として出願中である。
【０００３】
前者の特願平８−１１１７５３号は、市販のＣ型チャンネルを用いてガスメータをパイプシャフト内に取り付ける方式であり、後者の特願平９−９２００１号は、¬型のプレートを用いてガスメータをパイプシャフト内の壁や支持バー或いは支柱等に取り付ける方式である。
しかし、前者の発明にあっては、ガスメータの入側口金と出側口金間隔に合わせてその都度入側部材４と出側部材９の間隔を調整する必要があることから、作業がやりづらいという問題がある。
【０００４】
一方、後者の発明にあっては、あらかじめガス栓７と分配管８を支持金具本体１に取り付けておくことは可能であるが、支持金具本体１を加工するためにコストが嵩むと共に、入側と出側配管を左と右方向に夫々接続する必要があって、後方から接続することができないという問題がある。又、支持金具本体１は、この背面側に取付部があることから、取り付けに際しては背面に手を廻して部品の取り付けやネジ止めを行う必要があり、この場合も、作業がやりづらいという問題がある。
又、両者は部品点数が多いために、ガスメータの取り付けコストが高くなるという問題がある。
【０００５】
【発明が解決しようとする課題】
本発明に課せられた課題は次のとおりである。
１．ガスメータをパイプシャフト内に取り付ける際に、この取り付け作業を簡単に行うことができるようにすること。
２．入側と出側のガス配管を後方に接続できるように構成して現場の状況に対応したガスメータの取り付けを行うことができるようにすること。
３．取付装置の部品点数を少なくしてガスメータの取り付けコストを安くすること。
【０００６】
【課題を解決するための手段】
上記課題を解決するために提案する本発明の構成は次のとおりである。
１．水平方向に長く、ガスメータの入側口金と出側口金の間隔に合わせて元栓取付用ビス孔と出側配管部材用ビス孔を設けると共に、両端に夫々バックプレート取付用ビス孔を設けて成るプレートと、
鉛直方向にガスメータの入側口金に接続するための入側ユニオンを取り付け、後方に入側ガス管接続口を形成し、正面側にハンドルを取り付けると共に、
上面にネジ孔を設けて成る元栓と、
鉛直方向にガスメータの出側口金に接続するための出側ユニオンを取り付けると共に、水平方向に向けて試験口と出側ガス管接続口を形成し、上面にネジ孔を設けて成る出側配管部材と、
前記プレートの両端に設けたバックプレート取付用ビス孔に貫入したビスによりプレートの後面側に夫々位置し、後述のガスメータ支持バーの開口部の幅よりも小さい短幅とこの開口部内の前後の壁幅よりも大きい長幅に形成されたバックプレートと、
下面に開口部を形成した断面Ｃ型形状であって、パイプシャフト内において水平方向に固定されるガスメータ支持バーと、
前記元栓及び出側取付部材を前記プレートに固定するためのビスと、
から成るガスメータの支持装置。
【０００７】
２．前記１のバックプレートは、上辺と下辺の間隔がガスメータ支持バーの下面に形成した開口部からこの内部に挿入できる幅であって、両サイドの辺は同一方向に傾斜し、且つ、この傾斜した辺の間隔はガスメータ支持バー内の前後の壁に当る長さに設定された平行四辺形状であることを特徴とするガスメータの支持装置。
【０００８】
３．前記１の出側配管部材は、その正面にプラグで止められた試験口を設け、後向きにフレキシブル管の接続口を設けた構造であることを特徴とするガスメータの支持装置。
【０００９】
【作用】
プレートの下面には、あらかじめ元栓及び出側配管部材をビス止めすると共に、ガスメータ及び入側と出側のガス管（例えばフレキシブル管）を接続し、更にプレートの両端にはバックプレートを仮り止めしておく。なお、このガス管は、直接各接続口に接続することなく、現場の状況に合わせて、エルボ、ベント管等を用いて取り付け方向を変えるようにしてもよい。
【００１０】
この状態で、開口部を下向きにしてパイプシャフト内に水平にその両端が固定された支持バーの開口部内に、下からバックプレート側を挿入し、プレートを支持バーの下面に押し当て、バックプレートを仮り止めしたビスを時計廻り方向に回転させると、バックプレートは始めはビスと一緒に共廻りするが、一定の角度回転すると、左右両端の傾斜辺が支持バー内の前後の壁に当り、それ以上は回転しなくなる。更にビスを回転すると、プレートとバックプレートの間隔が狭まり、支持バーの開口部の両縁を上下から挟み込み、更に締め付けることで、プレートとこのプレートに固定された元栓、出側配管部材、これらに吊設されたガスメータが支持バーの下に固定される。
【００１１】
【発明の実施の形態】
図１〜６に基づいて本発明の実施例を詳述する。
図において、１はプレートであって、このプレート１は、水平方向に長く、ガスメータの入側口金と出側口金の間隔に合わせて元栓取付用ビス孔２と出側配管部材用ビス孔２ａを設けると共に、両端に夫々バックプレート取付用ビス孔３、３ａを設けた構成である。
【００１２】
４は元栓であって、この元栓４は、鉛直方向にガスメータの入側口金に接続するための入側ユニオン５を取り付けると共に、正面側にハンドル６を取り付け、後方に入側ガス管接続口７を設けた構成である。４ａは元栓４の上面に設けた元栓４をプレート１に取り付けるためのネジ孔である。
【００１３】
８は出側配管部材であって、この出側配管部材８は、鉛直方向にガスメータの出側口金に接続するための出側ユニオン９を取り付けると共に、水平方向に向けて出側フレキシブル管接続口１０とプラグ１１ａにより止められた試験口１１を設け、上面に出側配管部材８をプレート１に取り付けるためのネジ孔８ａを設けた構成である。
【００１４】
１２、１３はバックプレートであって、このバックプレート１２、１３は、前記プレート１のバックプレート取付用ビス孔３、３ａに貫入したビス１８によりプレート１の裏側に夫々位置し、上辺と下辺１２ａ、１３ａの幅Ｗは後述する支持バーの開口部１５の両縁１５ａの幅Ｗ1 より小さく、左右辺の長さＬは前後の壁１６、１６ａの幅Ｌ1 より大きい平行四辺形状である。
１４はガスメータ支持バーであって、この支持バー１４は、下面に開口部１５を形成した断面Ｃ型形状であって、パイプシャフトの両サイドの壁２０にその両端が固定金具１９を用いて水平に固定される。
【００１５】
１７は前記元栓４及び出側配管部材８を前記プレート１に固定するためのビス、１８はプレート１のビス孔３、３ａにバックプレート１２、１３を取り付けると共に、支持バー１４にプレート１を固定するためのビスである。
【００１６】
次に、上記実施例から成る取付装置を用いてガスメータをパイプシャフト内に取り付けるための手順を説明する。先ず、プレート１の下面には、あらかじめ元栓４及び出側配管部材８をビス１７で固定し、更にガスメータＡの入側と出側口金を入側と出側ユニオン５、９に夫々接続し、入側と出側のガス管（フレキシブル管）２１、２２を元栓４と出側配管部材８に金具２１ａ、２２ａを用いて接続し、更にプレート１の両端にはバックプレート１２、１３をビス１８で仮り止めしておく。この時、バックプレート１２、１３の傾斜辺１２ｂ、１３ｂは左右方向（開口部１５の長手方向）に向けておく（図１、２参照）。
【００１７】
この状態で、開口部１５を下向きにして固定金具１９によりパイプシャフトの壁２０に両端が固定された支持バー１４の開口部１５内に、下からバックプレート１２、１３側を挿入し、プレート１を支持バー１４の下面に当て、バックプレート１２、１３を仮り止めしたビス１８を時計廻り方向に回転させる。このようにすると、バックプレート１２、１３は始めはビス１８と一緒に共廻りするが、一定角度回転すると、左右両端の傾斜辺１２ｂ、１３ｂが支持バー１４内の前後の壁１６、１６ａに当り、それ以上は回転しなくなる。更にビス１８を回転すると、支持バー１４の開口部１５の両縁１５ａの外にプレート１が当り、開口部１５内の両縁１５ａにバックプレート１２、１３が当り、支持バー１４の開口部１５の両縁１５ａを上下から挟み込み、更にビス１８を締め付けることでプレート１とこのプレート１に固定された元栓４、出側配管部材８、これらに吊設されたガスメータＡは支持バー１４の下に取り付けられる（図４参照）。
【００１８】
なお、図３において、バックプレート１２は固定される前の位置（方向）を示し、１３は９０°回転して傾斜辺１３ｂが壁１６、１６ａに当って止っている状態を示している。
上記実施例は、ガスメータＡを先にプレート１（元栓４、出側配管部材８）に取り付けているが、最後に取り付けるようにしてもよい。
【００１９】
【発明の効果】
本発明に係るガスメータの取付装置は以上の如き構成から成るため、次の効果を奏する。
１．一枚のプレートにあらかじめ元栓と出側配管部材及び出入りガス管を取り付け、これをパイプシャフト内に持ち込んで支持バーに取り付けるようにすることにより、作業性が向上する。
【００２０】
２．支持バーの開口部に対して下方からバックプレートを挿入し、ビスを回転するだけで支持バーに対するガスメータ（プレート）の取り付けが終了するため、作業がやり易いと共に、狭いパイプシャフト内において他の配管等が邪魔にならない。
３．プレートとバックプレートだけでガスメータの取り付けを行うことができるので、部品点数が少なく、ガスメータを取り付けるためのコストが安くなる。
【図面の簡単な説明】
【図１】本発明に係る取付装置の平面図。
【図２】本発明に係る取付装置の正面図
【図３】バックプレートの作用の説明図。
【図４】支持バーにガスメータを取り付けた状態の説明図。
【図５】支持バーにガスメータを取り付けた状態の左側面図。
【図６】支持バーにガスメータを取り付けた状態の右側面図。
【符号の説明】
１  プレート
２  元栓取付用ビス孔
２ａ  出側配管部材用ビス孔
３、３ａ  バックプレート取付用ビス孔
４  元栓
５  入側ユニオン
６  ハンドル
７  入側ガス管接続口
８  出側配管部材
９  出側ユニオン
１０  出側フレキシブル管接続口
１１  試験口
１２、１３  バックプレート
１４  支持バー
１５  開口部
１６、１６ａ  壁
１７、１８  ビス
１９  固定金具
２０  壁
２１  入側ガス管
２２  出側ガス管
Ａ  ガスメータ
【図１】
0003825532.tif 000002
【図２】
0003825532.tif 000003
【図３】
0003825532.tif 000004
【図４】
0003825532.tif 000005
【図５】
0003825532.tif 000006
【図６】
0003825532.tif 000007